(57)【要約】【課題】  使用者の頭部周辺の熱気を効率的に排出し得、使用者の頭部をより冷却し得る頭部被着物用ライナ及び頭部被着物を提供する。【解決手段】  椀状のライナ本体３０の厚さ方向の適宜位置に、ライナ本体３０の内側から空気を導入させる導入用部屋部３７が設けてあり、ライナ本体３０には導入用部屋部３７とライナ本体３０の内側との間を連絡して、ライナ本体３０の内側の空気を導入用部屋部３７へ供給させる吸気路４０，４０，４０，４０が設けてあり、ライナ本体３０の外周面側には、導入用部屋部３７内の空気をライナ本体３０の外側へ排出するファンが配設してある。【選択図】  図３
2016102282.tif 000002
【特許請求の範囲】
【請求項１】
ヒトの頭部に被着される頭部被着物を構成する帽子状の本体に内装される頭部被着物用ライナであって、
椀状のライナ本体の厚さ方向の適宜位置に、ライナ本体の内側から空気を導入させる導入用部屋部が設けてあり、前記ライナ本体には前記導入用部屋部とライナ本体の内側との間を連絡して、ライナ本体の内側の空気を導入用部屋部へ供給させる一又は複数の吸気路が設けてあり、ライナ本体の外周面側には、前記導入用部屋部内の空気をライナ本体の外側へ排出するファンが配設してあることを特徴とする頭部被着物用ライナ。
【請求項２】
前記ライナ本体の外周面に凹部が設けてあり、
該凹部は、前記ファンを内嵌させるファン嵌合部と、該ファン嵌合部より深い位置に設けられた導入用部屋部とを連通させ、ファン嵌合部と導入用部屋部との境界にファンを支持する支持部を設けて構成してあり、
前記ファンは前記ファン嵌合部に内嵌させてある
請求項１記載の頭部被着物用ライナ。
【請求項３】
前記吸気路は、前記ライナ本体をその厚さ方向へ貫通する１又は複数の貫通孔と、各貫通孔と前記導入用部屋部とを連絡する連絡路とを具備する請求項１又は２記載の頭部被着物用ライナ。
【請求項４】
前記ライナ本体の外周面に前記貫通孔の開口を塞ぐ第１塞止部材が設けてある請求項３記載の頭部被着物用ライナ。
【請求項５】
前記連絡路は、前記ライナ本体の外周面に形成された溝で構成してなる請求項３記載の頭部被着物用ライナ。
【請求項６】
前記ライナ本体の外周面に前記連絡路を塞ぐ第２塞止部材が設けてある請求項５記載の頭部被着物用ライナ。
【請求項７】
前記ファンは前記導入用部屋部から吸引した空気をライナ本体の背面側へ吐出するようになしてあり、
前記ライナ本体の背面側に前記ファンから吐出された空気を排出する排気路が設けてある請求項１から５のいずれかに記載の頭部被着物用ライナ。
【請求項８】
前記排気路は、前記ライナ本体の外周面に形成された溝で構成してなる請求項７記載の頭部被着物用ライナ。
【請求項９】
前記ライナ本体の周縁部であって、ライナ本体の背面側の略中央位置に排気用片部が垂設してあり、該排気用片部には前記排気路が延設してある請求項８記載の頭部被着物用ライナ。
【請求項１０】
前記排気路は前記ライナ本体の外周面に形成された溝で構成してなり、前記ライナ本体の外周面に前記排気路を塞ぐ第３塞止部材が設けてある請求項８記載の頭部被着物用ライナ。
【請求項１１】
前記排気路は前記ライナ本体の外周面に形成された溝で構成してなり、前記ライナ本体の外周面及び前記排気用片部の外面に前記排気路を塞ぐ第３塞止部材が設けてある請求項９記載の頭部被着物用ライナ。
【請求項１２】
前記排気路の内面は平滑になしてある請求項７から１１のいずれかに記載の頭部被着物用ライナ。
【請求項１３】
帽子状の本体に頭部被着物用ライナが内装してあり、ヒトの頭部に被着される頭部被着物において、
請求項１から１２のいずれかに記載の頭部被着物用ライナを備えることを特徴とする頭部被着物。
【発明の詳細な説明】
【技術分野】
【０００１】
本発明は、ヘルメット又は帽子等、頭部に被着する頭部被着物の内部に配設される頭部被着物用ライナ、及び該頭部被着物用ライナを装着した頭部被着物に関する。
【背景技術】
【０００２】
作業又はスポーツ等を行う場合、頭部を保護するためにヘルメット又は帽子といった頭部要部用被着物を頭部に被着しているが、炎天下又は高温の作業場等、過酷な温度環境下にあっては、頭部の温度上昇を可及的に抑制することが重要である。そのため、後記する特許文献１には次のような送風ファン付帽子が開示されている。
【０００３】
図９は特許文献１に開示された送風ファン付帽子の構造を示す縦断面図である。
図９に示したように、送風ファン付帽子は縦に配した円筒状の外カバー１２０の下縁内側に環状の下枠部１２１が取付けてある。外カバー１２０の中心軸上であって帽頂部から少し低い位置には中央に開口を設けてなる平板状の支持部１３０が配設してあり、支持部１３０は該支持部１３０と下枠部１２１との間に架設された円弧状の複数のフレーム部１２２，１２２，…によって支持されている。支持部１３０の開口上にはファン付きモータ１３２が、支持部１３０に固定されたハウジング１３１を介して配設してあり、ファン付きモータ１３２は帽頂部から外気を取り込んで支持部１３０の開口から内側へ吐出するようになっている。
【０００４】
ファン付きモータ１３２の周囲には複数の太陽電池パネル１４０，１４０，…が等間隔に配設してあり、太陽電池パネル１４０，１４０，…からの起電力によってファン付きモータ１３２が駆動し得るようになっている。一方、下枠部１２１の周方向の適宜位置には庇部１２５が外カバー１２０より外方へ延設してあり、庇部１２５にはファン付きモータ１３２に給電する電池（図示せず）が着脱可能に設けてある。また、庇部１２５には図示しないスイッチも設けてあり、該スイッチを操作することによってファン付きモータ１３２への給電を電池又は太陽電池パネル１４０，１４０，…に切り替え得るようになっている。
【０００５】
フレーム部１２２，１２２，…の内側には使用者の頭部が挿入される半球状の網製帽体１２７がフレーム部１２２，１２２，…から適宜の距離を隔てて取り付けてあり、網製帽体１２７とファン付きモータ１３２との間にはファン付きモータ１３２から吐出される風を拡散させる釣鐘状の拡散部材１２８が架設してある。そして、ファン付きモータ１３２から吐出された風は拡散部材１２８に当たって網製帽体１２７の広域へ拡散された後、網製帽体１２７を通過して使用者の頭部へ供給される。
【０００６】
夏期に外気温度が体温以上になる場合があるが、前述したような送風ファン付帽子にあっては、外気を取り込んで使用者の頭部へ供給するように構成してあるため、頭部を十分に冷却することができないという問題があった。
【０００７】
そのため、後記する特許文献２には次のようなヘルメットが開示されている。
【０００８】
図１０は特許文献２に開示されたヘルメットの使用態様を説明する説明図である。
図１０に示したように、ヘルメット本体２００の内側には発泡スチロール等にて構成した半球状のライナ２３０が取り付けてあり、ライナ２３０の外周面とヘルメット本体２００の内周面との間には適宜の間隙を設けて通気空間２４０になしてある。通気空間２４０はヘルメット本体２００の周縁部にて外気と連通するようになしてあり、またライナ２３０の全領域に開設された複数の貫通孔２４１，２４１，…を介してライナ２３０の内側と連通するようになしてある。
【０００９】
通気空間２４０内であってヘルメット本体２００の庇部２１１が設けられた正面側略中央の位置にはファンモータ２５５が配設してあり、該ファンモータ２５５によって通気空間２４０内の空気が取り込まれて、その大部分はヘルメット本体２００の周縁部であってヘルメット本体２００の正面の領域から下方へ向かって吐出され、残りの部分はライナ２３０のルメット本体２００の正面に対向する部分に開設された貫通孔からライナ２３０内へ吐出されるようになっている。
【００１０】
このようなヘルメットにあっては、使用者の頭部をライナ２３０に内嵌させてヘルメットを被着するが、かかる状態でファンモータ２５５を作動させた場合、通気空間２４０内にはヘルメット本体２００の側周縁領域及び後周縁領域から外気が導入されるため、ヘルメット本体２００が強制冷却されると共に、通気空間２４０内に導入された外気がライナ２３０のルメット本体２００の正面に対向する部分に開設された貫通孔からライナ２３０内へ吐出されるため、使用者の頭部を直接的に冷却することができる。このとき通気空間２４０内には、ライナ２３０のヘルメット本体２００の両側面、天井及び背面に対向する部分に開設された貫通孔を介してライナ２３０の内側、即ち使用者の頭部周辺の熱気も導入されるため、使用者の頭部を効率的に冷却することができる。
【先行技術文献】
【特許文献】
【００１１】
【特許文献１】特許第３０７０００９号公報
【特許文献２】特開２０１３−２４１６９４号公報
【発明の概要】
【発明が解決しようとする課題】
【００１２】
しかしながら、後者のヘルメットにあっては、ファンモータ２５５の駆動によって取り込んだ外気をライナ２３０内へ吐出させるため、前同様、体温以上の温度環境下では使用者の頭部を十分に冷却することができない。一方、ライナ２３０のヘルメット本体２００の両側面、天井及び背面に対向する部分に開設された貫通孔を介して使用者の頭部周辺の熱気が通気空間２４０へ排出することができるが、ライナ２３０に内嵌された使用者の頭部が通風路上の抵抗となる一方、ヘルメット本体２００の側周縁領域及び後周縁領域から通気空間２４０へはそのような抵抗を伴うことなく外気が導入されるため、通気空間２４０への導入量は外気の方が相対意的に多く、従って頭部周辺の排熱効率が非常に低いという問題があった。
【００１３】
本発明は斯かる事情に鑑みてなされたものであって、使用者の頭部周辺の熱気を効率的に排出し得、それによって使用者の頭部をより冷却し得る頭部被着物用ライナ、及び該頭部被着物用ライナを装着した頭部被着物を提供する。
【課題を解決するための手段】
【００１４】
（１）本発明に係る頭部被着物用ライナは、ヒトの頭部に被着される頭部被着物を構成する帽子状の本体に内装される頭部被着物用ライナであって、椀状のライナ本体の厚さ方向の適宜位置に、ライナ本体の内側から空気を導入させる導入用部屋部が設けてあり、前記ライナ本体には前記導入用部屋部とライナ本体の内側との間を連絡して、ライナ本体の内側の空気を導入用部屋部へ供給させる一又は複数の吸気路が設けてあり、ライナ本体の外周面側には、前記導入用部屋部内の空気をライナ本体の外側へ排出するファンが配設してあることを特徴とする。
【００１５】
本発明の頭部被着物用ライナにあっては、ヒトの頭部に被着される頭部被着物を構成する帽子状の本体に内装されるようになしてあり、椀状のライナ本体を備えている。このライナ本体の厚さ方向の適宜位置に、ライナ本体の内側から空気を導入させる導入用部屋部が設けてあり、ライナ本体には前記導入用部屋部とライナ本体の内側との間を連絡して、ライナ本体の内側の空気を導入用部屋部へ供給させる一又は複数の吸気路が設けてある。
【００１６】
ライナ本体の外周面側にはファンが配設してあり、該ファンによって前述した導入用部屋部内の空気はライナ本体の外側へ排出される。
【００１７】
このような構成の頭部被着物用ライナを帽子状の本体に内装した頭部被着物を使用者が自身の頭部に被着した場合、使用者のライナ本体に内嵌された頭部周囲に熱が蓄積されようとするが、ファンを駆動させることによって、かかる熱はライナ本体の内側の空気と共に吸気路を介して導入用部屋部内へ供給され、ファンによって導入用部屋部からライナ本体の外側へ排出される。従って、使用者の頭部周辺の熱を効率的に排出することができる。
【００１８】
更に、使用者のライナ本体に内嵌された頭部に汗が発生するが、この汗は、使用者のライナ本体に内嵌された頭部周囲の空気が前述した如くライナ本体の外側へ排出されるのに伴って気化する。このとき、汗が気化する際に周囲から気化熱を奪うため、使用者のライナ本体に内嵌された頭部をより冷却することができる。
【００１９】
このとき、ファンが導入用部屋部内を減圧させることによって、導入用部屋部に連絡された吸気路を介してライナ本体の内側の空気を排出するように構成してあるため、複数の吸気路であっても１つのファンで排気処理を実施することができるのに加え、導入用部屋部には殆どライナ本体の内側の空気しか供給されないため、前述した汗の気化を可及的に促進させることができる。
【００２０】
（２）本発明に係る頭部被着物用ライナは、前記ライナ本体の外周面に凹部が設けてあり、該凹部は、前記ファンを内嵌させるファン嵌合部と、該ファン嵌合部より深い位置に設けられた導入用部屋部とを連通させ、ファン嵌合部と導入用部屋部との境界にファンを支持する支持部を設けて構成してあり、前記ファンは前記ファン嵌合部に内嵌させてある
ことを特徴とする。
【００２１】
本発明の頭部被着物用ライナにあっては、ライナ本体の外周面に凹部が設けてある。この凹部は、ファンを内嵌させるファン嵌合部と、該ファン嵌合部より深い位置に設けられた導入用部屋部とを連通させ、ファン嵌合部と導入用部屋部との境界にファンを支持する支持部を設けて構成してある。支持部は、ファン嵌合部の内周面に設けた段差部にて構成することもできるし、ファン嵌合部の内周面に設けた複数の凸部にて構成してもよい。また、ファン嵌合部の底部に格子状部材を展設することによって構成してもよい。
【００２２】
そして、このファン嵌合部にファンを内嵌させる。これによって、ファンをライナ本体内に埋設することができ、頭部被着物を構成する帽子状の本体に頭部被着物用ライナを内装させた際に、本体の内周面にファンが当接することを回避することができる。また、ファン嵌合部と導入用部屋部とを連通させてあるため、ファン嵌合部に内嵌されたファンは導入用部屋部以外からの空気を吸引することを防止することができ、導入用部屋部内の空気、延いてはライナ本体の内部の空気を効率的に吸引・排出することができる。従って、使用者の頭部周辺の熱気をより効率的に排出し得、それによって使用者の頭部をより冷却し得る。
【００２３】
（３）本発明に係る頭部被着物用ライナは、前記吸気路は、前記ライナ本体をその厚さ方向へ貫通する１又は複数の貫通孔と、各貫通孔と前記導入用部屋部とを連絡する連絡路とを具備することを特徴とする。
【００２４】
本発明の頭部被着物用ライナにあっては、前述した吸気路は、ライナ本体をその厚さ方向へ貫通する１又は複数の貫通孔と、各貫通孔と前記導入用部屋部とを連絡する連絡路とを具備して構成してある。ここで、連絡路はライナ本体の内部に開設したトンネルであっても良いし、後述するようにライナ本体の外周面に形成した溝であってもよい。
【００２５】
このように、貫通孔及び連絡路によって吸気路が構成してあるため、排気路の設計の自由度が高く、排気路の設計・製造を容易になすことができる。
【００２６】
（４）本発明に係る頭部被着物用ライナは、前記ライナ本体の外周面に前記貫通孔の開口を塞ぐ第１塞止部材が設けてあることを特徴とする。
【００２７】
本発明の頭部被着物用ライナにあっては、ライナ本体の外周面に貫通孔の開口を塞ぐ第１塞止部材が設けてある。第１塞止部材としてはフィルム・箔・薄板部材等々を用いることができるが、フィルムを用いた場合、ライナ本体への取付けが容易であり、またその柔軟性によって振動・変形に対抗することができるため好適である。
【００２８】
このように、ライナ本体の外周面に貫通孔の開口を塞ぐ第１塞止部材が設けてあるため、ライナ本体の外側の空気が吸気路内へ流入することを防止することができる。これによって、ライナ本体の内側の空気をより効率的に排出することができ、前述した汗の気化をより促進させることができる。
【００２９】
（５）本発明に係る頭部被着物用ライナは、前記連絡路は、前記ライナ本体の外周面に形成された溝で構成してなることを特徴とする。
【００３０】
本発明の頭部被着物用ライナにあっては、連絡路は、前記ライナ本体の外周面に形成された溝で構成してある。ここで、溝の断面形状はＵ字状又はコ字状等、適宜の形状であってよい。このように、連絡路を溝で構成することによって、連絡路の製造を容易に行うことができ、製造コストを廉価にすることができる。
【００３１】
（６）本発明に係る頭部被着物用ライナは、前記ライナ本体の外周面に前記連絡路を塞ぐ第２塞止部材が設けてあることを特徴とする。
【００３２】
本発明の頭部被着物用ライナにあっては、ライナ本体の外周面に前述した連絡路を塞ぐ第２塞止部材が設けてある。第２塞止部材としてはフィルム・箔・薄板部材等々を用いることができるが、フィルムを用いた場合、ライナ本体への取付けが容易であり、またその柔軟性によって振動・変形に対抗することができるため好適である。
【００３３】
このように、ライナ本体の外周面に連絡路を塞ぐ第２塞止部材が設けてあるため、ライナ本体の外側の空気が吸気路内へ流入することを防止することができる。これによって、ライナ本体の内側の空気をより効率的に排出することができ、前述した汗の気化をより促進させることができる。
【００３４】
（７）本発明に係る頭部被着物用ライナは、前記ファンは前記導入用部屋部から吸引した空気をライナ本体の背面側へ吐出するようになしてあり、前記ライナ本体の背面側に前記ファンから吐出された空気を排出する排気路が設けてあることを特徴とする。
【００３５】
本発明の頭部被着物用ライナにあっては、ファンは導入用部屋部から吸引した空気をライナ本体の背面側へ吐出するようになしてある。そして、ライナ本体の背面側に、ファンから吐出された空気を排出する排気路が設けてある。ここで、排気路としては、ライナ本体の内部に開設したトンネルであっても良いし、後述するようにライナ本体の外周面に形成した溝であってもよい。
【００３６】
前述したように、使用者のライナ本体に内嵌された頭部に発生した汗が気化する際に周囲から気化熱を奪うため、温度が低下した空気がライナ本体の内部から導入用部屋部へ導入され、当該空気がファンによって排気路内へ吐出される。排気路はライナ本体の背面側に設けてあるため、この排気路から排出された排気は使用者のうなじ辺りに吹き付けられる。使用者のうなじ辺りには頸椎があり、使用者の頸椎に温度が低下した空気が吹き付けられるため、より効率的に使用者を冷却することができる。
【００３７】
（８）本発明に係る頭部被着物用ライナは、前記排気路は、前記ライナ本体の外周面に形成された溝で構成してなることを特徴とする。
【００３８】
本発明の頭部被着物用ライナにあっては、排気路は、ライナ本体の外周面に形成された溝で構成してある。ここで、溝の断面形状はＵ字状又はコ字状等、適宜の形状であってよい。このように、排気路を溝で構成することによって、排気路の製造を容易に行うことができ、製造コストを廉価にすることができる。
【００３９】
（９）本発明に係る頭部被着物用ライナは、前記ライナ本体の周縁部であって、ライナ本体の背面側の略中央位置に排気用片部が垂設してあり、該排気用片部には前記排気路が延設してあることを特徴とする。
【００４０】
本発明の頭部被着物用ライナにあっては、ライナ本体の周縁部であって、ライナ本体の背面側の略中央位置に排気用片部が垂設してあり、排気用片部には前述した排気路が延設してある。ライナ本体の周縁部であって、ライナ本体の背面側の略中央位置に垂設された排気用片部の延長線上には使用者の頸椎が存在する。従って、前述したように排気熱が奪われて温度が低下した空気を使用者の頸椎に効率的に吹き付けることができ、使用者をより効果的に冷却することができる。
【００４１】
（１０）本発明に係る頭部被着物用ライナは、前記排気路は前記ライナ本体の外周面に形成された溝で構成してなり、前記ライナ本体の外周面に前記排気路を塞ぐ第３塞止部材が設けてあることを特徴とする。
【００４２】
本発明の頭部被着物用ライナにあっては、前記排気路は前記ライナ本体の外周面に形成された溝で構成してある。ここで、溝の断面形状はＵ字状又はコ字状等、適宜の形状であってよい。このように、排気路を溝で構成することによって、排気路の製造を容易に行うことができ、製造コストを廉価にすることができる。
【００４３】
そして、ライナ本体の外周面に排気路を塞ぐ第３塞止部材が設けてある。第３塞止部材としてはフィルム・箔・薄板部材等々を用いることができるが、フィルムを用いた場合、ライナ本体への取付けが容易であり、またその柔軟性によって振動・変形に対抗することができるため好適である。
【００４４】
このように、ライナ本体の外周面に排気路を塞ぐ第３塞止部材が設けてあるため、排気路内に吐出された空気を拡散させることなく、排気路から排出させることができ、使用者のうなじ辺りをより効率的に冷却することができる。
【００４５】
（１１）本発明に係る頭部被着物用ライナは、前記排気路は前記ライナ本体の外周面に形成された溝で構成してなり、前記ライナ本体の外周面及び前記排気用片部の外面に前記排気路を塞ぐ第３塞止部材が設けてあることを特徴とする。
【００４６】
本発明の頭部被着物用ライナにあっては、前記排気路は前記ライナ本体の外周面に形成された溝で構成してある。ここで、溝の断面形状はＵ字状又はコ字状等、適宜の形状であってよい。このように、排気路を溝で構成することによって、排気路の製造を容易に行うことができ、製造コストを廉価にすることができる。
【００４７】
そして、ライナ本体の外周面及び前記排気用片部の外面に排気路を塞ぐ第３塞止部材が設けてある。第３塞止部材としてはフィルム・箔・薄板部材等々を用いることができるが、フィルムを用いた場合、ライナ本体への取付けが容易であり、またその柔軟性によって振動・変形に対抗することができるため好適である。
【００４８】
このように、ライナ本体の外周面及び前記排気用片部の外面に排気路を塞ぐ第３塞止部材が設けてあるため、排気路内に吐出された空気を拡散させることなく、排気路から排出させることができ、使用者の頸椎をより効率的に冷却することができる。
【００４９】
（１２）本発明に係る頭部被着物用ライナは、前記排気路の内面は平滑になしてあることを特徴とする。
【００５０】
本発明の頭部被着物用ライナにあっては、排気路の内面に塗料を塗布し又はテープといったフィルムを貼着することによって、排気路の内面が平滑になしてある。これによって、排気路内を通流する排気への抵抗が低減され、排気路から吐出される排気の流速を高く維持することができるため、使用者への冷却効果を可及的に向上させることができる。
【００５１】
（１３）本発明に係る頭部被着物は、帽子状の本体に頭部被着物用ライナが内装してあり、ヒトの頭部に被着される頭部被着物において、（１）から（１２）のいずれかに記載の頭部被着物用ライナを備えることを特徴とする。
【００５２】
本発明の頭部被着物にあっては、（１）から（１２）のいずれかに記載の頭部被着物用ライナを備えるため、前述した各作用・効果を奏することができる。
【図面の簡単な説明】
【００５３】
【図１】本発明に係る頭部被着物用ライナを示す平面斜視図である。
【図２】図１に示した頭部被着物用ライナの底面図である。
【図３】図１及び図２に示したライナ本体の正面斜視図である。
【図４】図１及び図２に示したライナ本体の背面斜視図である。
【図５】図３に示したライナ本体の縦断面図である。
【図６】図３に示したライナ本体にファンを取付けた状態を示す縦断面図である。
【図７】本発明に係る頭部用被着物の一例を示す底面図である。
【図８】図７に示したヘルメットの使用様態を説明する説明図である。
【図９】特許文献１に開示された送風ファン付帽子の構造を示す縦断面図である。
【図１０】特許文献２に開示されたヘルメットの使用態様を説明する説明図である。
【発明を実施するための形態】
【００５４】
本発明に係る頭部被着物用ライナ、及び該頭部被着物用ライナを装着した頭部被着物を図面に基づいて詳述する。なお、本実施の形態で説明する頭部被着物用ライナ及び頭部被着物は、本発明の趣旨を説明する一例であり、本発明はその趣旨を逸脱しない範囲での変形や改造を含むことはいうまでもない。
【００５５】
図１は本発明に係る頭部被着物用ライナを示す平面斜視図であり、図２は図１に示した頭部被着物用ライナの底面図である。なお、本形態では以後、頭部被着物用ライナを単にライナと記載する。
【００５６】
本形態に示したライナ３は、発泡スチロールというように衝撃を吸収し得る中実の素材を椀状に成形してなるライナ本体３０を備えている。なお、本形態ではライナ本体３０に発泡スチロール材といった衝撃吸収材を用いた場合について示したが、本発明はこれに限らず、中実の素材であって、後述するファン５５、バッテリ５３及びスイッチ５１等を担持し得る強度を有するものであれば衝撃吸収の有無に拘わらず適宜の素材を用いることができる。
【００５７】
ライナ本体３０の周縁部からは、当該ライナ本体３０が内装されるヘルメットといった頭部被着物内においてライナ本体３０がずれることを防止すべく、頭部被着物の内周面の周縁近傍に予め突設してある複数の固定部に係止させる複数の係止片部３０ａ，３０ａ，…が延設してある。係止片部３０ａは適宜の幅を有する帯状片をライナ本体３０の曲率と略同じ曲率の円弧状に成形してなり、図２に示したように、本形態ではライナ本体３０の正面及び両側面にそれぞれ、合計３つの係止片部３０ａ，３０ａ，３０ａが設けてある。
【００５８】
また、図２に示したように、ライナ本体３０の周縁部であって、ライナ本体３０の背面に位置する部分からは、帯状片をライナ本体３０の曲率と略同じ曲率の円弧状に成形してなり、後述する排気路４５が形成される排気用片部３０ｂが延設してある。
【００５９】
一方、図２に示したように、ライナ本体３０の内周面であって、ライナ本体３０の正面位置には、ファン５５の入り／切り及びファン５５の回転数を複数段で切り替えるためのスイッチ５１が配設してあり、図１に示したように、ライナ本体３０の外周面であって、ライナ本体３０の正面には、前記スイッチ５１が設けられたスイッチ用基板５０が嵌設されている。
【００６０】
図１に示したように、ライナ本体３０の外周面であって、ライナ本体３０の一側面には充放電可能な電源部５３及び該電源部５３からの通電を制御してファン５５の駆動を制御する制御部５２がそれぞれ嵌設してあり、前記スイッチ５１の操作信号はスイッチ用基板５０から制御部５２に与えられるようになっている。
【００６１】
一方、ライナ本体３０の他側面には外部から与えられる磁界によって起電力を発生するコイル状の起電部５４が嵌設してあり、起電部５４が発生した電力は制御部５２を介して電源部５３に与えられ、そこに充電されるようになっている。これによって、電源部５３を非接触で充電することができる。
【００６２】
ライナ本体３０の外周面であって、ライナ本体３０の天井部には、底部から吸気して背部から排気するファン５５が嵌設されており、ファン５５の入り／切り及びファン５５の回転数の切り替えは制御部５２を介して前記スイッチ５１で操作し得るようになっている。
【００６３】
なお、本形態では、外部から与えられる磁界によって起電力を発生する起電部５４及び充放電可能な電源部５３を設けることによって、電源部５３を交換することなく、繰り返し使用し得るようになしてあるが、本発明はこれに限らず、電源部５３として使い捨て用の電池をライナ本体３０又は該ライナ本体３０を装着する頭部被着物の適宜位置に着脱可能に配設してもよい。これによって、起電部５４が不要となり、充放電可能なバッテリより廉価な電池を使用することができるので部品コストを低減させることができる。
【００６４】
更にライナ本体３０について詳述する。
図３及び図４は、図１及び図２に示したライナ本体３０の正面斜視図及び背面斜視図であり、図５は図３に示したライナ本体３０の縦断面図である。なお、これらの図中、図１及び図２に示した部分に対応する部分には同じ番号が付してある。
【００６５】
図３から図５に示したように、ライナ本体３０の外周面であって、ライナ本体３０の正面には前述したスイッチ用基板５０（図１参照）を嵌合させるための第１凹部３１が設けてあり、第１凹部３１内の適宜位置には、スイッチ用基板５０に取付けられたスイッチ５１（共に図１参照）を嵌入させるスイッチ用孔が、ライナ本体３０を貫通する様態で開設されている。また、ライナ本体３０の外周面であって、ライナ本体３０の両側面には、前述した起電部５４、電源部５３及び制御部５２（いずれも図１参照）を内嵌させるための第２凹部３２、第３凹部３３及び第４凹部３４がそれぞれ設けてある。
【００６６】
一方、ライナ本体３０の天井部の厚さ寸法は他の部分の厚さ寸法より大きくなしてあり、ライナ本体３０の外周面であって、ライナ本体３０の天井部には、ファン５５を内嵌させるための第５凹部３５が設けてある。第５凹部３５は、ファン５５の外形寸法に応じた内形寸法になし、ファン５５の厚さ寸法と略同じ深さ寸法になしたファン嵌合部３６と、ファン嵌合部３６より一段深い位置に設けてあり、ライナ本体３０の内側からの空気を導入させてファン５５に供給するための導入用部屋部３７とを備えて構成してある。この導入用部屋部３７はファン嵌合部３６の内径より一回り小さい内径になしてあり、これによってファン嵌合部３６と導入用部屋部３７との境界に段差部（支持部）３８が形成されている。そして、図６に示したように、ファン嵌合部３６に内嵌されたファン５５は前記段差部３８によって支持されるようになっており、その状態でファン５５はその底部、即ち導入用部屋部３７内から吸気して背部から排気する。
【００６７】
ライナ本体３０の外周面であって、ライナ本体３０の背面側には、ファン５５から吐出される空気を所要箇所から排出させるための溝状の排気路４５が設けてある。この排気路４５の一端側は前述したファン嵌合部３６のライナ本体３０背面側の縁部の全域に亘って連通させてあり、排気路４５の一端側の深さ寸法はファン嵌合部３６の深さ寸法と略同じにしてある。これによって、排気路４５の一端側と導入用部屋部３７とが連通することが防止され、排気路４５に送出されたファン５５からの排気が導入用部屋部３７を介してファン５５に再度吸引されることが防止される。従って、ファン５５によるライナ本体３０内からの排気効率を高く維持することができる。
【００６８】
一方、排気路４５の他端側は前述した排気用片部３０ｂの底部縁まで延設してあり、ファン５５の背部から排気路４５内へ吐出された排気は排気用片部３０ｂの底部縁に設けられた排気口４６から略鉛直方向へ吐出されるようになっている。なお、排気路４５の内面に塗料を塗布し又はテープといったフィルムを貼着する等、排気路４５の内表面を平滑化処理することによって、排気路４５内を通流する排気への抵抗を低減するとよい。これによって、排気口４６から吐出される排気の流速を高く維持することができ、後述するように使用者への冷却効果を可及的に向上させることができる。また、ライナ本体３０及び排気用片部３０ｂの外周面に、排気路４５を被覆するようにテープ等の塞止部材（第３塞止部材）を貼着するとよい。これによって、ファン５５からの排気の略全量を排気口４６から吐出させることができるため、使用者への冷却効果をより向上させることができる。
【００６９】
第５凹部３５の周囲にはライナ本体３０を貫通する１又は複数（図３及び図４にあっては４つ）の貫通孔４１，４１，４１，４１が開設してあり、ライナ本体３０の外周面には、各貫通孔４１，４１，４１，４１と第５凹部３５との間を連絡する溝状の連絡路４２，４２，４２，４２がそれぞれ前記排気路４５から距離を隔てて設けてある。これら貫通孔４１，４１，４１，４１及び連絡路４２，４２，４２，４２によって吸気路４０，４０，４０，４０が構成されており、ライナ本体３０の内側の空気は吸気路４０，４０，４０，４０を通って、第５凹部３５の導入用部屋部３７内へ導入されるようになっている。
【００７０】
ここで、貫通孔４１，４１，４１，４１は、ライナ本体３０の適宜位置に開設することができるが、好ましくはライナ本体３０の天井部分に開設するとよい。ライナ３を被着した使用者の頭部にあっては、頭頂部の温度が他の頭部部分の温度より高くなるため、貫通孔４１，４１，４１，４１をライナ本体３０の天井部分に開設することによって、頭頂部の熱を効率的に除去することができる。
【００７１】
なお、ライナ本体３０の外周面に、貫通孔４１，４１，４１，４１の開口を被覆するようにテープといったフィルム等の塞止部材（第１塞止部材）を固着するとよい。同様に、ライナ本体３０の外周面に、連絡路４２，４２，４２，４２を被覆するようにフィルム等の塞止部材（第２塞止部材）を固着するとよい。これによって、可及的にライナ本体３０の内側の空気のみを第５凹部３５の導入用部屋部３７内へ導入することができるため、使用者の頭頂部の熱をより効率的に除去することができる。
【００７２】
なお、本形態では貫通孔４１，４１，４１，４１及び連絡路４２，４２，４２，４２にて構成した吸気路４０，４０，４０，４０を設けた場合について説明したが、本発明はこれに限らず、ライナ本体３０の内部の空気を導入用部屋部３７内へ導入すべく、貫通孔４１，４１，４１，４１及び／又は連絡路４２，４２，４２，４２に対応して、ライナ本体３０の内部に１又は複数のトンネルを開設して吸気路を構成してもよい。同様に、排気用のトンネルを、ライナ本体３０及び／又は排気用片部３０ｂの内部に開設して排気路を構成してもよい。吸気路及び／又は排気路をトンネルで構成した場合、当該トンネルの内部に適宜の管を挿入して、構造強度を向上させることができる。
【００７３】
図７は本発明に係る頭部用被着物の一例を示す底面図であり、前述したライナ３をヘルメット本体２内に装着してヘルメット１を構成した場合を示している。
【００７４】
つば付き帽子形状のヘルメット本体（本体）２の内面であって、ヘルメット本体２の周縁近傍の位置には、図示しない複数の固定部が周方向へ距離を隔てて設けてある。ヘルメット本体２の内面には前述したライナ本体３０（図８参照）が密接させてあり、ライナ３の係止片部３０ａ，３０ａ，３０ａを対応する固定部にそれぞれ係合させてライナ３がヘルメット本体２内に固定してある。ヘルメット本体２内の周縁近傍には、使用者の額部分に掛け回す帯状の環ひも２１が配設してあり、該環ひも２１は前記各固定部に係合固定してある。また、ヘルメット本体２内には、使用者の頭頂部に当接させるハンモック部２２がヘルメット本体２の内面から適宜距離を隔てて配設してあり、該ハンモック部２２は対応する固定部に係合固定されている。
【００７５】
一方、ヘルメット本体２の背面側であって、ヘルメット本体２の周縁近傍の位置にはその長さを調節可能になした帯状の頭部ベルトが架設してあり、使用者の頭部の大きさに応じて頭部ベルトの長さを調節するようになっている。また、ヘルメット本体２の両側面側の固定部には顎ひも２４（図８参照）の二股に分かれた両端部がそれぞれ固定してあり、該顎ひも２４もその長さを調整し得るようになしてある。
【００７６】
図７に示したように、ヘルメット本体２内に固定されたライナ本体３の天井部分には貫通孔４１，４１，４１，４１が開設してあり、ライナ本体３０の内側の空気は貫通孔４１，４１，４１，４１から吸引される。前述したようにライナ本体３０の背面側には排気用片部３０ｂ（図８参照）が設けてあり、貫通孔４１，４１，４１，４１から吸引された空気は排気用片部３０ｂの底部縁に設けられた排気口４６から吐出さる。
【００７７】
図８は、図７に示したヘルメット１の使用様態を説明する説明図である。なお、図中、図１及び図７に示した部分に対応する部分には同じ番号が付してある。
【００７８】
図８に示したように、ヘルメット１のハンモック部２２に使用者Ｓの頭部を当接させるようにライナ本体３を使用者Ｓの頭部に外嵌させた後、顎ひも２４を使用者の顎に係合させて、ヘルメット１が使用者Ｓの頭部に被着されており、使用者Ｓの頭部とライナ本体３の内周面との間には適宜の間隙が形成されている。ライナ本体３に開設された貫通孔４１，４１（４１，４１）は使用者Ｓの頭部天井部に対向配置されており、主に使用者Ｓの頭部天井部付近の空気が貫通孔４１，４１（４１，４１）を含む吸気路を介して導入用部屋部３７内へ導入される。
【００７９】
このとき、ライナ本体３０の外寸はヘルメット本体２の内寸に応じて設定してあり、ライナ本体３０の外周面とヘルメット本体２の内周面との間に殆ど間隙が生じないようになしてある。これによって、貫通孔４１，４１（４１，４１）のライナ本体３０の外周面側の開口部及び前述した連絡路４２を塞止部材で覆わなくても、使用者Ｓの頭部天井部付近の空気を効果的に吸引することができる。なお、前述したようにライナ本体３０の外周面側の開口及び連絡路を塞止部材で覆った場合、使用者Ｓの頭部天井部付近の空気のみを吸引することができるため好適である。
【００８０】
導入用部屋部３７の上方位置にはファン５５が嵌合固定されており、導入用部屋部３７内に導入された空気はファン５５内に吸引され、該ファン５５の背部から排気路４５内へ吐出される。前述したように排気路４５は、ライナ本体３０の背面部から排気用片部３０ｂの底縁部に亘って設けてあり、排気用片部３０ｂの底部縁に設けた排気口４６から吐出された排気は使用者Ｓの頸椎部へ吹き付けられて当該部分を冷却するようになっている。
【００８１】
ここで、作業中、使用者Ｓのライナ本体３０に内嵌された頭部周囲に蓄積される熱はその特性によって、使用者Ｓの頭部天井部の周辺に集まるが、本発明に係るヘルメット１にあっては、ライナ本体３０に開設された貫通孔４１，４１（４１，４１）が使用者Ｓの頭部天井部に対向配置されている上に貫通孔４１，４１（４１，４１）以外から空気を殆ど吸引しないため、使用者Ｓの頭部天井部付近の空気を効率的に吸引することができる。なお、ファン５５は導入用部屋部３７内を減圧させることによって、該導入用部屋部３７に連通させた各吸気路を介してライナ本体３０の内側の空気を排出するように構成してあるため、複数の吸気路であっても１つのファン５５で排気処理を実施することができる。
【００８２】
一方、使用者Ｓのライナ本体３０に内嵌された頭部周囲に蓄積される熱又は外気温等によって使用者Ｓの頭部に汗が発生するが、この汗が気化する際に周囲から気化熱を奪うため、使用者Ｓのライナ本体３０に内嵌された頭部周囲の気温が相対的に低下し、この相対的に温度が低下した空気が、前述したように吸気路を介してファン５５から排気路４５へ吐出される。前述したように、排気路４５へ吐出された空気は、排気用片部３０ｂの底部縁に設けた排気口４６から吐出されて、使用者Ｓの頸椎部へ吹き付けられるようになっており、これによって使用者Ｓの頸椎部には相対的に温度が低下した空気が吹き付けられる。
【００８３】
本発明者らが鋭意研究した結果、使用者Ｓの頸椎部を冷却した場合、使用者Ｓの他の部分を冷却した場合より使用者Ｓに与える冷却効果は大きいという知見を得ている。本発明に係るヘルメット１にあっては、気化熱が奪われて相対的に温度が低下した空気がファン５５から排気路４５内へ吐出されるため、かかる温度が低下した空気の拡散を防止することができるのに加え、排気路４５及び排気口４６によって温度が低下した空気を予め定めた位置、即ち使用者Ｓの頸椎部へ吹き付けることができるため、当該位置を効率的に冷却することができる。
【００８４】
ところで、図２に示したように、スイッチ５１を操作することによって、ファン５５の回転数を段階的に制御することができる。従って、ファン５５の回転数を低くすることによって電源部５３の消耗を抑えて長時間運転可能し、一方、ファン５５の回転数を高くすることによって排気風速を相対的に上昇させて、使用者Ｓの頸椎部の冷却効果をより高くすることができる。
【００８５】
ところで、本形態では底部から吸気して背部へ排気するファン５５を用いた場合について説明したが、本発明はこれに限らず、底部から吸気して天部から排気するファンを用いてもよい。この場合、ヘルメット本体２の内周面とライナ本体３０の外周面との間に適宜の間隙を設けるようにする。これによって、前述した如く相対的に温度が低下した空気はヘルメット本体２の内周面に当接した後、ヘルメット本体２の内周面とライナ本体３０の外周面との間隙に拡散してライナ本体３０の周縁の全領域から排出されるため、使用者の顔の前面、首筋及び頸椎等を冷却し、その一部は使用者Ｓのライナ本体３０に内嵌された頭部へ導入されて当該部分を冷却することができる。
【００８６】
なお、かかる場合にあっては、ヘルメット本体２の内周面とライナ本体３０の外周面との間隙に適宜の仕切り部を設けることによって、前述した排気路を構成することもできる。
【実施例】
【００８７】
次に、比較試験を行った結果について説明する。
比較試験は次のように実施した。すなわち、ガラスで外界と仕切った箱体の底部に加温器を配置するとともに、当該加温器の上方にマネキンの頭部を設置した。このマネキンの頭部に硬く絞った濡れタオルを設置することによって、頭部に汗をかいた状態を人工的に形成し、タオルの上からマネキンの頭部に図８に示したヘルメット１を外嵌させた。なお、箱体内（外部位置）と、ライナ本体の内周面であってライナ本体の頭頂部（頭頂部位置）と、排気口（排気口位置）とにはそれぞれ温度計を配設し、また排気口には風速計を配設した。
【００８８】
そして、ヘルメット１のファン５５を駆動させた後、加温器を作動させて、箱体の内部温度が適宜温度で一定になったときに、各温度計の測定値、及び風速計の測定値を記録した。記録した結果を次表に示す。
【００８９】
【表１】
2016102282.tif 000003
【００９０】
表に示したように、外部位置の温度は３９．４℃であったが、頭頂部位置の温度は２７．８℃であり、頭頂部位置の温度は外部位置の温度より１１．６℃低下していた。一方、排気口位置の温度は３５．５℃であり、排気口位置の温度は外部位置の温度より３．９℃低下していた。なお、排気口から吐出された排気の風速は９．０ｍ３／ｓであった。
【符号の説明】
【００９１】
１    ヘルメット（頭部被着物）
２    ヘルメット本体
３    ライナ（頭部被着物用ライナ）
３０    ライナ本体
３０ａ  係止片部
３０ｂ  排気用片部
３５    第５凹部（凹部）
３６    ファン嵌合部
３７    導入用部屋部
４０    吸気路
４１    貫通孔
４２    連絡路
４５    排気路
４６    排気口
５５    ファン
Ｓ    使用者
【図１】
2016102282.tif 000004
【図２】
2016102282.tif 000005
【図３】
2016102282.tif 000006
【図４】
2016102282.tif 000007
【図５】
2016102282.tif 000008
【図６】
2016102282.tif 000009
【図７】
2016102282.tif 000010
【図８】
2016102282.tif 000011
【図９】
2016102282.tif 000012
【図１０】
2016102282.tif 000013